【手続補正書】
【提出日】平成29年7月20日(2017.7.20)
【手続補正１】
【補正対象書類名】明細書
【補正対象項目名】００６７
【補正方法】変更
【補正の内容】
【００６７】
しかしながら、締め付けスリーブ３７は、クランプクリップ１６と管スリーブ３４との間の回転防止の種類とは無関係に、クランプクリップ１６に対し、又はクランプクリップ１６内で、そして、例示の実施形態に応じて、管スリーブ３４に対しても、自由に回転できるように、又は、可能であれば軸方向にさえも動かせように取り付けることができる。
【手続補正２】
【補正対象書類名】明細書
【補正対象項目名】００６８
【補正方法】変更
【補正の内容】
【００６８】
図７及び８は、締め付け装置の、代替的な好ましい例示の実施形態を示す。この例示の実施形態では、クランプクリップ１６は、通り抜け開口部２５の下側にスロット２６を備え、このスロットは円周方向に部分的に取り巻いて延びる。図７ａ及び７ｂによると、このスロットは、突起部１３，１４の間に配置される軸方向スロット１５に対向する領域でのみ、連続して形成されない。この例示の実施形態では、締め付けスリーブ３７は、同様に、上端及び下端それぞれにフランジ５１，５２を備える。この場合、上側フランジ５１はクランプクリップ１６の上端を越えて突出し、それによってクランプクリップ１６の上縁にのる。下側フランジ５２は、クランプクリップ１６のスロット２６内に半径方向に突出し、これが、クランプクリップ１６に対する締め付けスリーブ３７の軸方向位置を固定する。クランプリップ１６は、クランプクリップ１６の、スロット２６が連続していない領域の内面に、この領域に締め付けスリーブ３７の下側フランジ５２を受け入れるための半径方向のくぼみを円周状に備える。
【手続補正３】
【補正対象書類名】明細書
【補正対象項目名】００７２
【補正方法】変更
【補正の内容】
【００７２】
図１０の例示の実施形態では、管スリーブ３４の上側フランジ３５は、その外縁に、部分的に（ここでは上側フランジ３５の周囲の約４分の１に）円周状の凹所を備え、これにより、フランジのこの円周状の部分の外径は、残りの突出する円周状の部分より小さい。フランジ３５の突出する部分は、クランプクリップ１６のスロット２６に係合し、クランプクリップ１６のスロット２６の２つの円周端部に、肩部５６が当接することによってブロックされ、これにより、クランプクリップ１６に対する管スリーブ３４の回転が阻止される。その結果、クランプクリップ１６のスロット２６の領域において、管スリーブ３４の上側フランジ３５と締め付けスリーブ３７の下側フランジ５２の両方が、クランプクリップ１６のスロット２６に部分的に係合する。
【手続補正４】
【補正対象書類名】特許請求の範囲
【補正対象項目名】請求項１
【補正方法】変更
【補正の内容】
【請求項１】
締め付け装置の開口部に挿入可能な内側管部分（３）を解除可能に軸方向に固定するための、ハイキングポール、トレッキングポール、ノルディックウォーキングポール、クロスカントリーポール又はスキーポール用の締め付け装置（１）であって、
該締め付け装置は、プラスチックスリーブ（５）を備え、該プラスチックスリーブは、締め付け装置（１）のさらなる開口部に挿入可能な外側管部分（２）に固定でき、前記内側管部分（３）を少なくとも軸方向部分において実質的に直接包囲し、該締め付け装置（１）が閉鎖状態のときにそれを締め付け、
前記プラスチックスリーブ（５）は、締め付け可能なように、該プラスチックスリーブの周囲を前記軸方向部分（５ｂ）において可変にする、少なくとも１つの軸方向スロット（６）を備えるか、又は、少なくとも領域的に変形可能なエラストマー材料から形成され、
該締め付け装置は、さらに、前記プラスチックスリーブ（５）に対し同軸に配置されるクランプクリップ（１６）を備え、該クランプクリップ（１６）は、前記プラスチックスリーブ（５）を軸方向に少なくとも部分的に包囲し、閉鎖時に該プラスチックスリーブ（５）を締め付け、
前記クランプクリップ（１６）は、少なくとも、前記プラスチックスリーブ（５）を包囲する領域に、該領域でクランプクリップの周囲を可変にする少なくとも１つの軸方向スロット（１５）か、又は弾力のある領域を備え、
前記クランプクリップ（１６）の、前記軸方向スロット又は弾力性のある領域の第１の側に第１の突起部（１３）が配置され、前記軸方向スロット又は弾力性のある領域の第２の側に第２の突起部（１４）が配置され、
前記突起部（１３，１４）のそれぞれが、前記内側管部分（３）の軸（２４）に対し実質的に垂直に配置される同軸の貫通開口部（２３）を有し、
前記突起部の少なくとも１つにクランプレバー（４）が軸方向に取り付けられ、
前記クランプレバー（４）は、該締め付け装置（１）の閉鎖時に少なくとも部分的に前記クランプクリップ（１６）を包囲するレバーアーム（９）を備え、かつ、前記クランプレバー（４）は、該クランプレバー（４）の回転軸（７）の周りに偏心するロールオフ領域（８）を備え、このロールオフ領域（８）によって、止め部（１２）と、前記第１の突起部（１３）の外面上に配置される、締め付け用の反対面（２７）との間の距離を、前記閉鎖位置へと前記クランプレバー（４）を旋回させることによって減少させることのできる締め付け装置において、
前記プラスチックスリーブが２つの分離した構成部品（３４，３７）から形成され、この２つの分離した構成部品の１つ目は、前記外側管部分（２）上に該締め付け装置を固定するための、前記クランプクリップ（１６）に対し同軸に配置される管スリーブ（３４）として形成され、
前記２つの分離した構成部品の２つ目は、前記外側管部分（２）に挿入可能な前記内側管部分（３）を締め付けるための、前記管スリーブ（３４）と前記クランプクリップ（１６）に対し同軸に配置される締め付けスリーブ（３７）として形成されることを特徴とする締め付け装置。
【手続補正５】
【補正対象書類名】図面
【補正対象項目名】全図
【補正方法】変更
【補正の内容】
【図１ａ】
2017500987.tif 000001
【図１ｂ】
2017500987.tif 000002
【図１ｃ】
2017500987.tif 000003
【図１ｄ】
2017500987.tif 000004
【図１ｅ】
2017500987.tif 000005
【図１ｆ】
2017500987.tif 000006
【図２ａ】
2017500987.tif 000007
【図２ｂ】
2017500987.tif 000008
【図２ｃ】
2017500987.tif 000009
【図２ｄ】
2017500987.tif 000010
【図３ａ】
2017500987.tif 000011
【図３ｂ】
2017500987.tif 000012
【図４】
2017500987.tif 000013
【図５ａ】
2017500987.tif 000014
【図５ｂ】
2017500987.tif 000015
【図５ｃ】
2017500987.tif 000016
【図５ｄ】
2017500987.tif 000017
【図５ｅ】
2017500987.tif 000018
【図６ａ】
2017500987.tif 000019
【図６ｂ】
2017500987.tif 000020
【図６ｃ】
2017500987.tif 000021
【図６ｄ】
2017500987.tif 000022
【図６ｅ】
2017500987.tif 000023
【図７ａ】
2017500987.tif 000024
【図７ｂ】
2017500987.tif 000025
【図７ｃ】
2017500987.tif 000026
【図７ｄ】
2017500987.tif 000027
【図８】
2017500987.tif 000028
【図９ａ】
2017500987.tif 000029
【図９ｂ】
2017500987.tif 000030
【図９ｃ】
2017500987.tif 000031
【図９ｄ】
2017500987.tif 000032
【図９ｅ】
2017500987.tif 000033
【図９ｆ】
2017500987.tif 000034
【図１０ａ】
2017500987.tif 000035
【図１０ｂ】
2017500987.tif 000036
【図１０ｃ】
2017500987.tif 000037
【図１０ｄ】
2017500987.tif 000038
【図１０ｅ】
2017500987.tif 000039
【図１１ａ】
2017500987.tif 000040
【図１１ｂ】
2017500987.tif 000041
【図１１ｃ】
2017500987.tif 000042
【図１１ｄ】
2017500987.tif 000043
【図１２】
2017500987.tif 000044
【図１３ａ】
2017500987.tif 000045
【図１３ｂ】
2017500987.tif 000046
【図１３ｃ】
2017500987.tif 000047
【図１３ｄ】
2017500987.tif 000048
【図１３ｅ】
2017500987.tif 000049
【図１３ｆ】
2017500987.tif 000050
【図１４ａ】
2017500987.tif 000051
【図１４ｂ】
2017500987.tif 000052
【図１４ｃ】
2017500987.tif 000053
【図１４ｄ】
2017500987.tif 000054
【図１４ｅ】
2017500987.tif 000055
【図１５】
2017500987.tif 000056